(57)【要約】【課題】記録材を収容する容器が記録装置に装着される場合に、他の機種の記録装置に対応する容器が装着された場合でも、比較的簡易な構成で、ユーザに対して報知することを目的としている。【解決手段】記録装置に記録材を収容する容器が所定数配置されたかを判定する。また、容器を記録装置に取り付けるために開閉するカバーの開閉状態を識別して開閉回数をカウントする。記録装置に容器が所定数配置されていると判定されておらず、且つ、カバーの開閉回数が所定回数以上であるとき、容器に関する所定の報知を行う。【選択図】図７
2019034448.tif 000002
【特許請求の範囲】
【請求項１】
記録材を収容する容器が所定数配置される記録装置であって、
前記記録装置に設けられた前記容器の記憶素子から識別情報を取得して前記容器の存在を検知する検知手段と、
前記検知手段により存在が検知された前記容器の数に基づき、前記記録装置に前記容器が前記所定数配置されたかを判定する判定手段と、
前記容器を前記記録装置に取り付けるために開閉するカバーの開閉状態を識別して開閉回数をカウントするカウント手段と、
前記容器に関する情報を報知する報知手段とを有し、
前記報知手段は、前記判定手段により前記記録装置に前記容器が前記所定数配置されていると判定されておらず、且つ、前記カウント手段によってカウントされた前記カバーの開閉回数が所定回数以上であるとき、前記容器に関する所定の報知を行う
ことを特徴とする記録装置。
【請求項２】
前記報知手段は、前記カウント手段によってカウントされた前記カバーの開閉回数が所定回数以上となるか、前記判定手段により前記容器が前記所定数配置されたと判定するまで、前記所定の報知とは異なる、前記容器の取り付けに関する報知を行う
ことを特徴とする請求項１に記載の記録装置。
【請求項３】
前記カウント手段は、前記判定手段による判定を行った後に前記カバーの開閉回数をカウントすることを特徴とする請求項１または請求項２に記載の記録装置。
【請求項４】
前記カウント手段は、前記判定手段による判定を行う前から前記カバーの開閉回数をカウントすることを特徴とする請求項１または請求項２に記載の記録装置。
【請求項５】
前記カバーの開閉回数は、電源がオフ状態であるときも保持されることを特徴とする請求項１から請求項４の何れか一項に記載の記録装置。
【請求項６】
前記カバーの開閉回数は、電源がオフ状態であるときリセットされることを特徴とする請求項１から請求項４の何れか一項に記載の記録装置。
【請求項７】
前記報知手段は、前記所定の報知として、前記容器に関する情報を表示する表示手段を有することを特徴とする請求項１から請求項６の何れか一項に記載の記録装置。
【請求項８】
前記記録材はインクであり、前記容器はインクを収容するインクタンクであり、前記インクタンクは、前記記録装置の中に配置された、インクを吐出する記録ヘッドに取り付けられることを特徴とする、請求項１から請求項７の何れか一項に記載の記録装置。
【請求項９】
前記記録装置を動作させるべく最初の設定を行うための初期セットアップモードを起動する起動手段を備え、
前記起動手段により前記初期セットアップモードを起動している場合に、前記報知手段によって前記容器に関する情報を報知する
ことを特徴とする、請求項１から請求項８の何れか一項に記載の記録装置。
【請求項１０】
記録材を収容する容器が所定数配置される記録装置の制御方法であって、
前記記録装置に設けられた前記容器の記憶素子から識別情報を取得して前記容器の存在を検知する検知工程と、
前記検知工程において存在が検知された前記容器の数に基づき、前記記録装置に前記容器が前記所定数配置されたかを判定する判定工程と、
前記容器を前記記録装置に取り付けるために開閉するカバーの開閉状態を識別して開閉回数をカウントするカウント工程と、
前記容器に関する情報を報知する報知工程とを有し、
前記報知工程では、前記判定工程において前記記録装置に前記容器が前記所定数配置されていると判定されておらず、且つ、前記カウント工程においてカウントされた前記カバーの開閉回数が所定回数以上であるとき、前記容器に関する所定の報知を行う
ことを特徴とする記録装置の制御方法。
【請求項１１】
コンピュータを、請求項１から請求項９の何れか一項に記載の記録装置として機能させることを特徴とするプログラム。
【発明の詳細な説明】
【技術分野】
【０００１】
本発明は記録材を収容する容器を着脱可能な記録装置、記録装置の方法およびプログラムに関する。
【背景技術】
【０００２】
記録装置では、インクタンクの誤装着を防止する技術が種々開発されている。
【０００３】
特許文献１には、インクタンクに設けられた突起部と、キャリアヘッドに設けられ突起部が挿入されるホールとを備え、突起部およびホールの位置をインク色に応じて異ならせた技術が記載されている。
【先行技術文献】
【特許文献】
【０００４】
【特許文献１】特開平０８−１５０７２８号公報
【発明の概要】
【発明が解決しようとする課題】
【０００５】
上記特許文献１に記載の技術では、突起部およびホールの物理的な形状がインク色に応じて固有であることから、装着されるインクタンクの種類が増えると、突起部およびホールの形状が複雑化するという課題があった。また、インクジェット記録装置の特定の機種に対応しておらず他の機種に対応したインクタンクが物理的に装着されたとしても、インクジェット記録装置がそのことを識別できない場合、インクタンクの誤装着をユーザに対して報知できないことも考えられる。
【０００６】
そこで本発明は、記録材を収容する容器が記録装置に装着される場合に、他の機種の記録装置に対応する容器が装着された場合でも、比較的簡易な構成で、ユーザに対して報知できることを目的としている。
【課題を解決するための手段】
【０００７】
上述した課題を解決する本発明に係る記録装置は、記録材を収容する容器が所定数配置される記録装置であって、前記記録装置に設けられた前記容器の記憶素子から識別情報を取得して前記容器の存在を検知する検知手段と、前記検知手段により存在が検知された前記容器の数に基づき、前記記録装置に前記容器が前記所定数配置されたかを判定する判定手段と、前記容器を前記記録装置に取り付けるために開閉するカバーの開閉状態を識別して開閉回数をカウントするカウント手段と、前記容器に関する情報を報知する報知手段とを有し、前記報知手段は、前記判定手段により前記記録装置に前記容器が前記所定数配置されていると判定されておらず、且つ、前記カウント手段によってカウントされた前記カバーの開閉回数が所定回数以上であるとき、前記容器に関する所定の報知を行うことを特徴とする。
【発明の効果】
【０００８】
本発明によれば、記録材を収容する容器が記録装置に装着される場合に、他の機種の記録装置に対応する容器が装着された場合でも、比較的簡易な構成で、ユーザに対して報知できる。
【図面の簡単な説明】
【０００９】
【図１】本発明に係る記録装置の一実施形態を示す模式図
【図２】前記記録装置が備える記録ヘッドに対するインクタンク取り付け説明図
【図３】前記記録装置の概略構成を示すブロック図
【図４】前記記録装置の初期セットアップの概要を示すフローチャート
【図５】図４に示したステップＳ４０４で表示される画面の一例を示す図
【図６】図４に示したステップＳ４０６で表示される画面の一例を示す図
【図７】図４に示したステップＳ４０５のインクタンク取り付け工程の詳細を示すフローチャート
【図８】図７に示したステップＳ７０１で表示されるカバーオープンの誘導画面の一例を示す図
【図９】図７に示したステップＳ７０３で表示されるインクタンク取り付けの誘導画面の一例を示す図
【図１０】図７に示したステップＳ７０６で表示されるカバークローズの誘導画面の一例を示す図
【図１１】図７に示したステップＳ７０８，Ｓ７１３で表示されるインクタンク取り付けエラー画面の一例を示す図
【発明を実施するための形態】
【００１０】
以下、本発明の実施形態について図面を参照して説明する。ただし、この実施形態に記載されている構成要素はあくまで例示であり、本発明の範囲をそれらに限定する趣旨のものではない。また、実施形態で説明されている構成要素の組み合わせのすべてが、課題を解決するための手段に必須のものとは限らない。
【００１１】
図１は、本発明に係る記録装置の一実施形態を示す模式図である。
【００１２】
記録装置１００は、上方に開口した開口部を有する装置本体１０１と、装置本体１０１の中に配置され、インクを吐出する記録ヘッド１０３と、装置本体１０１の開口部を覆うカバー１０４とを有する。記録ヘッド１０３には、記録装置１００に対応したインクタンク１１１，１１２，１１３，１１４，１１５が着脱可能に取り付けられる。すなわち、記録装置１００の装置本体１０１には、インクタンクが所定数配置される。装置本体１０１の上部には、カバー１０４の開閉状態を識別するカバーセンサ（開閉検知手段）１０５が設けられている。カバーセンサ１０５として、光学式センサ、磁気近接センサ、メカニカルスイッチなどを用いることが可能である。記録装置１００は、記録ヘッド１０３が装置本体１０１の中に配置されることから、記録ヘッド１０３にインクタンク１１１〜１１５を取り付けるためには、記録装置１００のカバー１０４を開く必要がある構造となっている。そのため、インクタンク１１１〜１１５の取り付けや交換などの作業でカバー１０４の開け閉めが行われると、記録装置１００はカバーセンサ１０５によって、カバー１０４が開いた状態であるのか閉じた状態であるのかを自動的に識別することができる。
【００１３】
また、装置本体１０１の正面には表示部（報知手段）１０６が設けられている。表示部１０６は、例えば液晶ディスプレイなどであり、インクタンク１１１〜１１５に関する情報を表示できる機器である。インクタンク１１１〜１１５に関する情報として、例えば、カバー１０４を開けてインクタンク１１１〜１１５を記録ヘッド１０３に取り付けるまでの一連の方法に関する文字やイラストの誘導画面、エラーなどの注意画面および警告画面などが挙げられる。
【００１４】
装置本体１０１の正面には、記録媒体を排出する媒体排出口１０７が設けられている。
【００１５】
図２は、記録ヘッドに対するインクタンク取り付け説明図である。図２（ａ）は、記録装置に対応した対応インクタンクの場合を示している。図２（ｂ）は、本実施形態の記録装置とは異なる機種の記録装置に対応した別機種対応のインクタンクの場合を示している。
【００１６】
記録ヘッド１０３は、複数のインクタンク１１１〜１１５が装着される複数の装着部１２１〜１２５と、各装着部１２１〜１２５に設けられた識別チップ読取センサ（検知手段）２１１〜２１５とを有する。
【００１７】
装着部１２１〜１２５は、インクタンク１１１〜１１５のインク色に応じた特定のインクタンク１１１〜１１５が装着されるように構成されている。装着部１２１には、染料シアン（Ｃ）を収納したインクタンク１１１が装着される。装着部１２２には、染料ブラック（ＢＫ）を収納したインクタンク１１２が装着される。装着部１２３には、染料マゼンタ（Ｍ）を収納したインクタンク１１３が装着される。装着部１２４には、染料イエロー（Ｙ）を収納したインクタンク１１４が装着される。装着部１２５には、顔料ブラック（ＰＧＢＫ）を収納したインクタンク１１５が装着される。
【００１８】
インクタンク１１１,１１２，１１３，１１４，１１５には、識別チップ（記憶素子）２０１，２０２，２０３，２０４，２０５がそれぞれ設けられている。
【００１９】
識別チップ２０１，２０２，２０３，２０４，２０５には、インクタンク１１１,１１２，１１３，１１４，１１５に収納されたインク色、使用量などのインクタンク１１１,１１２，１１３，１１４，１１５自身の識別情報などが記憶されている。記録装置１００に対応したインクタンク１１１〜１１５は、下方向へ移動することで記録ヘッド１０３に装着される。インクタンク１１１〜１１５が記録ヘッド１０３に装着されると、記録ヘッド１０３の識別チップ読取センサ２１１〜２１５は、インクタンク１１１〜１１５の識別チップ２０１〜２０５と接触して識別チップ２０１〜２０５の識別情報を読み取る（取得する）。そして、記録装置１００は、識別チップ読取センサ２１１〜２１５で読み取った識別チップ２０１〜２０５の識別情報を基に、装着されたインクタンク１１１〜１１５の存在を検知する。また、記録装置１００は、識別チップ２０１〜２０５の識別情報を基に、装着されたインクタンク１１１〜１１５が記録装置１００に対応しているか否か、正しい位置に装着されているか否かを判別する。例えば、インクタンク１１１の装着部１２１にインクタンク１１４が装着されると、装着部１２１の識別チップ読取センサ２１１はインクタンク１１４の識別チップ２０４から識別情報を読み取る。識別チップ読取センサ２１１で読み取った識別情報を基に、記録装置１００は、１つのインクタンクの存在を検知し、装着されたインクタンク１１４が記録装置１００に対応していることを判別する。そして、記録装置１００は、識別チップ読取センサ２１１で読み取った識別情報が装着部１２１に対応したインクタンク１１１の識別情報ではないインクタンク１１４の識別情報であることから、正しい位置に装着されていないことを判別する。すなわち、記録装置１００は、インクタンク１１４の誤装着を自動的に検知できる。
【００２０】
しかし、図２（ｂ）に示すインクタンク２２０は、本実施形態における記録装置とは別の機種に対応するインクタンクである。この場合、インクタンク１１１〜１１４と同形状であるが、インクタンク２２０が備える識別チップが、記録ヘッド１０３の識別チップ読取センサ２１１〜２１４で読み取り可能な形態ではないことがある。そのため、インクタンク２２０を記録ヘッド１０３に物理的に装着することは可能であるが、装着されたインクタンク２２０に対して識別チップ読取センサ２１１〜２１４が反応することができない。よって、記録装置１００は、「記録装置１００に対応したインクタンク１１１〜１１４と同形状だが記録装置１００とは別の機種の記録装置に対応したインクタンク２２０」が記録ヘッド１０３に装着されているのか否かを自動的に検出することができない。以下、インクタンク１１１〜１１４と同形状だが記録装置１００に対応していないインクタンク２２０を「別機種対応インクタンク２２０」と記す。
【００２１】
なお、本実施形態では、インクタンクとして、染料インクタイプのシアン、ブラック、マゼンタ、イエロー、顔料インクタイプのブラックの５種類を用いた場合について説明するが、インクタンクの数は１種類以上あれば本発明を適用可能である。
【００２２】
図３は記録装置１００の概略構成を示すブロック図である。
【００２３】
記録装置１００は、ＣＰＵ３０１、ＲＯＭ３０２、ＲＡＭ３０３、記憶部３０４を備えている。ＣＰＵ３０１はＲＯＭ３０２に格納されたプログラムをＲＡＭ３０３に展開して、記憶部３０４が記録するための記録ジョブを生成する。
【００２４】
ＣＰＵ３０１は、表示部１０６、記録ヘッド１０３、カバーセンサ１０５、識別チップ読取センサ２１１〜２１５、不揮発性メモリ３０５と接続しており、インクタンク取り付けに関する処理を実施する。
【００２５】
不揮発性メモリ３０５は電力の供給がない状態でも保存情報を記憶できる装置である。本実施形態においては、後述する初期セットアップが完了したか否かを記憶する手段の機能を有する。
【００２６】
図４は記録装置１００の初期セットアップの概要を示すフローチャートである。
【００２７】
初期セットアップとは、記録装置１００をユーザが受け取り設置した際に、記録装置１００を動作させて記録を行える状態にすべく最初の設定を行うためのセットアップのことである。初期セットアップは、初期セットアップ終了後に記録装置１００の設定を変更するセットアップとは異なる。初期セットアップは、記録装置１００を使用するために必ず実施される。すなわち、記録装置１００は、初期セットアップモードを起動する起動手段の機能を有する。
【００２８】
以下、初期セットアップの概要について説明する。
【００２９】
本実施形態に係る記録装置１００では、初期セットアップは、記録装置１００の電源がオン状態であるか否かが判断され（ステップＳ４０１）、電源がオン状態になり電力が供給される状態になってから開始される。すなわち、電源がオン状態である場合（ステップＳ４０１：ＹＥＳ）、ステップＳ４０２に進む。電源がオン状態でない場合（ステップＳ４０１：ＮＯ）には、引き続きステップＳ４０１にて、電源の状態が判断される。
【００３０】
なお、ステップＳ４０１の前には、記録装置１００の設置前の作業工程であって、記録装置１００を箱から取り出す工程や、記録装置１００を保護する緩衝材や保護シールなどを取り外す工程の作業が行われていたとする。
【００３１】
記録装置１００の電源がオン状態になると続けて、記録装置１００は初期セットアップモードを起動する（ステップＳ４０３）か通常モードを起動する（ステップＳ４１０）かの判別を行う（ステップＳ４０２）。本実施形態では、ステップＳ４０２の判定条件は、初期セットアップが完了したか否かである。ここでは初期セットアップの完了を記録装置初期調整工程（ステップＳ４０６）までの全てのステップを行いすべて成功することを条件とする。記録装置初期調整工程（ステップＳ４０６）が完了したところで、初期セットアップを完了したことが不揮発性メモリ３０５に記憶される。初期セットアップにおいて記録装置初期調整工程（ステップＳ４０６）が完了する前に記録装置１００の電源がオフ状態になると、不揮発性メモリ３０５には初期セットアップを完了したことの記録が無く初期セットアップが完了したとはみなされない。そのため、その後電源がオン状態になると初期セットアップモードが再度起動される。初期セットアップが完了したか否かの情報は、不揮発性メモリ３０５に記憶されており、記録装置１００の電源がオフ状態になっても保持される。
【００３２】
ステップＳ４０２において初期セットアップが完了していないと判定されると、ステップＳ４０３の処理が行われ、初期セットアップが完了していると判定されると、ステップＳ４１０の処理が行われる。
【００３３】
なお、ステップＳ４０２の判定条件は、記録装置初期調整工程（ステップＳ４０６）までの全てのステップを行いすべて成功することに限定されるものではない。ステップＳ４０２の判定条件に、図４に示すフローチャートに記載していない処理や設定などを行うステップをさらに有し、すべて成功することを含ませることも可能である。
【００３４】
ステップＳ４０２において初期セットアップが完了していないと判定されると、ステップＳ４０３の初期セットアップモード起動工程では、記録装置１００が初期セットアップ時に必要とする最低限の処理のみを実施する。例えば、次のステップＳ４０４で言語選択画面を表示するための準備処理が行われる。なお、初期セットアップモード起動工程（ステップＳ４０３）の処理内容は準備処理に限定されるものではなく、準備処理以外の処理を含むことも可能である。記録ヘッド１０３のクリーニングなどの処理は通常モード起動工程（ステップＳ４１０）では実施するが、ステップＳ４０２の初期セットアップモード起動工程ではインクタンクの取り付けがされていないため実施しない。
【００３５】
初期セットアップモード起動工程（ステップＳ４０３）は、通常モード起動工程（ステップＳ４１０）と同じ処理を行うことも可能である。
【００３６】
初期セットアップモード起動工程（ステップＳ４０３）が完了すると、続けて初期セットアップに必要な最初の設定を行う（ステップＳ４０４）。本実施形態ではそれを前段設定工程と定義する。前段設定工程（ステップＳ４０４）では、例えば、表示部１０６に表示する言語の設定などが行われる。このとき、例えば、図５に示す、言語選択画面５０１を表示部１０６に表示し、言語選択画面５０１で表示部１０６に表示する言語を選択して設定する。
【００３７】
なお、前段設定工程（ステップＳ４０４）の設定内容は言語設定に限定されるものではなく、言語設定以外の設定を含むことも可能である。また、記録装置１００の出荷地域によってあらかじめ言語を決められる場合は、言語選択画面５０１の表示をスキップしてもよい。出荷地域は記録装置１００が出荷されるときに、出荷地域の情報が不揮発性メモリ３０５に記憶される。そのため、前段設定工程（ステップＳ４０４）実行時に出荷地域が日本であれば言語選択は日本語を自動的に選択することで日本地域の前段設定はスキップすることができる。このように、前段設定工程（ステップＳ４０４）をスキップすることも可能である。
【００３８】
前段設定工程（ステップＳ４０４）が完了すると、次に、ステップＳ４０５でインクタンクの取り付け作業を行う。本実施形態ではステップＳ４０５のインクタンクの取り付け工程はステップＳ４０６の記録装置初期調整工程を実施する前に完了する必要がある。そこで、インクタンク取り付けの誘導画面として図９で後述する画面９０１，９０２，９０３を表示部１０６に表示するなどしてユーザがインクタンクの取り付けに失敗しないように誘導している。
【００３９】
続いて、インクタンク取り付け工程（ステップＳ４０５）が完了すると、記録装置初期調整工程を実施する（ステップＳ４０６）。このとき、例えば、図６に示す、記録装置１００の動作状態を示すメッセージを含む画面６０１を表示部１０６に表示する。記録装置初期調整工程（ステップＳ４０６）では、記録ヘッド１０３にインクを充填する処理を行う。なお、記録装置初期調整工程の処理内容は、記録ヘッドへのインク充填処理に限定されるものではない。初期セットアップ終了後、最初の記録時に記録装置初期調整工程（４０６）を行う仕様とすることも可能である。
【００４０】
記録装置初期調整工程（ステップＳ４０６）が終了すると、初期セットアップが終了することになる。
【００４１】
ここで、図４に示したステップＳ４０５のインクタンク取り付け工程に関し、図７を参照して詳細に説明する。
【００４２】
図７は、記録装置１００において、主たる部分であるインクタンク取り付け工程の詳細を示すフローチャートである。
【００４３】
ステップＳ７０１では、カバーオープンの誘導画面を表示部１０６に表示する。カバーオープンの誘導画面として、例えば、図８（ａ）に示すメッセージを含む画面８０１と、図８（ｂ）に示すイラストを含む画面８０２を用いることが可能である。また、画面８０１，８０２を交互に表示したり、一方のみを表示したりすることが可能である。イラストは、アニメーション処理されてもかまわない。
【００４４】
ステップＳ７０２では、カバーが開いた状態であるか否かを判定する。カバーセンサ１０５でカバー１０４が閉じた状態を識別した場合（ステップＳ７０２：ＮＯ）、ステップＳ７０１に戻り、表示部１０６にカバーオープンの誘導画面を引き続き表示する。カバーセンサ１０５でカバー１０４が開いた状態を識別した場合（ステップＳ７０２：ＹＥＳ）、ステップＳ７０３に進む。
【００４５】
ステップＳ７０３では、インクタンク取り付けの誘導画面を表示部１０６に表示する。インクタンク取り付けの誘導画面として、メッセージやイラストを含む画面を用いることが可能である。例えば、図９（ａ）に示すインクタンク未装着状態のイラストを含む画面９０１、図９（ｂ）に示す１つインクタンクの装着状態のイラストを含む画面９０２、図９（ｃ）に示す全てのインクタンクの装着状態のイラストを含む画面９０３を用いることが可能である。画面９０１，９０２，９０３を順番に表示したり、これらのうちの少なくとも２つを交互に表示したり、メッセージを含む画面も含めて順番に表示したりすることが可能である。画面の遷移を時間経過によって切り替えることも可能である。識別チップ読取センサ２１１〜２１５が識別チップ２０１〜２０５から識別情報を１つずつ読み取ったときに、装着済みインクタンクと未装着インクタンクとを区別する表示を行うことも可能である。
【００４６】
ステップＳ７０４では、すべてのインクタンクを取り付けたか否か、言い換えると、全ての装着部に対してインクタンクが装着されたか否かを判定する。記録ヘッド１０３の各装着部１２１〜１２５に設けられた識別チップ読取センサ２１１〜２１５が各インクタンク１１１〜１１５に設けられた識別チップ２０１〜２０５の識別情報を読み取ることができたか否かでインクタンクの存在を検知する。そして、識別チップ読取センサ２１１〜２１５により存在が検知されたインクタンク１１１〜１１５の数に基づき、装置本体１０１にインクタンクが所定数（図示例では５つ）配置されたかを判定する。すなわち、記録装置１００は、識別チップ読取センサ２１１〜２１５により存在が検知されたインクタンク１１１〜１１５の数に基づき、装置本体１０１にインクタンクが所定数配置されたかを判定する判定手段の機能を有する。よって、識別チップ読取センサ２１１〜２１５で識別チップ２０１〜２０５の識別情報を全て読み取ることができた場合（ステップＳ７０４：ＹＥＳ）には、装置本体１０１にインクタンクが所定数配置されたと判定し、ステップＳ７０５に進む。識別チップ読取センサ２１１〜２１５で識別チップ２０１〜２０５の識別情報を全ては読み取ることができなかった場合（ステップＳ７０４：ＮＯ）、装置本体１０１にインクタンクが所定数配置されていないと判定し、ステップＳ７１０に進む。
【００４７】
ステップＳ７０５では、検出したインクタンクの色は正しいか否かを判定する。言い換えると、識別チップ読取センサ２１１〜２１５で読み取った識別チップ２０１〜２０５の識別情報を基に、各装着部１２１〜１２５に装着されたインクタンク１１１〜１１５全てが装着部１２１〜１２５と対応しているか否かを判定する。検出したインクタンクの色が正しい場合、言い換えると、インクタンク１１１〜１１５全てが対応する装着部１２１〜１２５に装着されている場合（ステップＳ７０５：ＹＥＳ）には、ステップＳ７０６に進む。検出したインクタンクの色が正しくない場合、言い換えると、インクタンク１１１〜１１５の少なくとも１つが対応しない装着部１２１〜１２５に装着されている場合（ステップＳ７０５：ＮＯ）、ステップＳ７０８に進む。
【００４８】
ステップＳ７０６では、カバークローズの誘導画面を表示部１０６に表示する。カバークローズの誘導画面として、メッセージやイラストを含む画面を用いることが可能である。例えば、図１０に示すカバーを閉じた状態のイラストを含む画面１００１を用いることが可能である。
【００４９】
ステップＳ７０７にて、カバー１０４が閉じた状態であるか否かを判定する。カバーセンサ１０５でカバー１０４が開いた状態を識別した場合には、再びステップＳ７０６に戻り、表示部１０６にカバークローズの誘導画面を引き続き表示し、ステップＳ７０７でカバーが閉じた状態になったか否かを再び判定する。カバーセンサ１０５でカバー１０４が閉じた状態を検知した場合には、インクタンク取り付け工程が終了する。
【００５０】
ステップＳ７０８では、インクタンク取り付けエラー画面を表示部１０６に表示する。インクタンク取り付けエラー画面として、例えば、図１１に示すメッセージを含む画面１１０１を表示することが可能である。
【００５１】
なお、色違いなどのインクタンクの誤装着を検出した場合のユーザへの報知方法については、特に規定しないが、例えば、記録ヘッドに設けたＬＥＤの点灯および点滅を利用して、インクタンクの誤装着をユーザへ報知しても良い。インクタンク取り付けエラー画面をユーザに報知するタイミングは、インクタンクが誤装着されたときに限定されず、例えば、カバーを閉じたときに報知することも可能である。
【００５２】
ステップＳ７１０では、カバーが閉じた状態であるか否かを判定する。カバー１０４が開いた状態であり、カバーセンサ１０５でカバー１０４が閉じた状態を識別しない場合（ステップＳ７１０：ＮＯ）、ステップＳ７０３に戻る。そして、インクタンク取り付けの誘導画面を表示部１０６に表示した後、ステップＳ７０４にて、すべてのインクタンクを取り付けたか否かを再び判定する。カバー１０４が閉じた状態であり、カバーセンサ１０５でカバー１０４が閉じた状態を識別した場合（ステップＳ７１０：ＹＥＳ）、ステップＳ７１１に進む。
【００５３】
ステップＳ７１１では、インクタンク取り付け中にカバー１０４を閉じた回数（カバー１０４の開閉回数）をカウントアップする。以下、記録ヘッド１０３にすべてのインクタンクが装着されていない状態でカバー１０４を閉じた回数のことをカバークローズ回数と呼ぶ。
【００５４】
カバークローズ回数の初期値は０回だが、図７のインクタンク取り付けフローでステップＳ７１１の処理を実施するたびに１つずつ値が増えていく。
【００５５】
なお、本実施形態ではカバークローズ回数をカウントアップするタイミングをインクタンク取り付け中のみ（ステップＳ７０４の判定後のみ）としているが、インクタンク取り付け中以外に行われたカバークローズ回数を記憶してもかまわない。例えば、図４で示したインクタンク取り付け工程（ステップＳ４０５）よりも前の前段設定工程（ステップＳ４０４）でカバー１０４の開け閉めが行われた場合にカバークローズ回数をカウントアップしてもかまわない。すなわち、ステップＳ７０４の判定を行う前から、カバークローズ回数をカウントアップすることも可能である。
【００５６】
本実施形態ではカバークローズ回数を不揮発性メモリ３０５に記憶する。そのため、インクタンク取り付け中に記録装置１００の電源がオフ状態になってもそれまでに行われたカバークローズ回数は不揮発性メモリ３０５に記憶されている。すなわち、不揮発性メモリ３０５は、カバーセンサ１０５で識別されたカバー１０４の開閉回数をカウントするカウント手段の機能を有する。なお、カバークローズ回数の記録箇所は不揮発性メモリ３０５に限定されるものではなく、ＲＡＭ３０３に記憶することも可能である。カバークローズ回数をＲＡＭ３０３に記憶する場合には、記録装置１００の電源がオフ状態になると、カバークローズ回数はリセットされていったん０回に戻される。カバークローズ回数の記録箇所は不揮発性メモリ３０５またはＲＡＭ３０３に限定されるものではなく、他の記憶素子などに記憶することも可能である。
【００５７】
ステップＳ７１１でカバークローズ回数をカウントアップしたあと、ステップＳ７１２でカバークローズ回数が所定回数未満であるのか否かを判定する。なお、ステップＳ７１２の判定は、インクタンク取り付けの誘導画面を表示部１０６に表示した状態で行われる。
【００５８】
以下、ステップＳ７１２で判定するカバークローズ回数の回数をカバークローズ規定回数（所定回数）と呼ぶ。
【００５９】
本発明ではカバークローズ規定回数について特に規定しないが、本実施形態ではこれを「３回」と定義する。
【００６０】
そのため、別機種対応インクタンク２２０を１つ以上装着したままカバー１０４を閉じたのが１回であれば、ステップＳ７１２では３回未満（所定回数未満）であると判定する（ステップＳ７１２：ＹＥＳ）。そして、「ＳＴＡＲＴ」に戻り、ステップＳ７０１〜Ｓ７０３の処理を行った後、ステップＳ７０４ですべてのインクタンクを取り付けたか否かを再び判定する。
【００６１】
ユーザに別機種対応インクタンク２２０を装着している認識がなく、インクタンクの装着が完了しているとの認識で再びカバー１０４が閉じられると、ステップＳ７１１およびステップＳ７１２の処理が再び行われる。
【００６２】
本実施形態ではカバークローズ規定回数を「３回」と定義しているので、カバー１０４を閉じるのが２回目までは、「ＳＴＡＲＴ」に戻り、ステップＳ７０１〜Ｓ７０４の処理を再び行うことになる。
【００６３】
カバークローズ回数が３回になると、ステップＳ７１２で３回以上（所定回数以上）であると判断し、ステップＳ７１３に進み、ステップＳ７１３にてインクタンク取り付けエラー画面を表示部１０６に表示する。インクタンク取り付けエラー画面として、例えば、図１１に示す、メッセージを含む画面１１０１を表示することが可能である。
【００６４】
このタイミングで表示部１０６にエラー画面が表示されるため、ユーザは、インクタンクの取り付けに何らかの問題が生じていることを認識できる。そして、エラーに対処するためにマニュアルなどを参照した場合には別機種対応インクタンク２２０を取り付けてはならないことを認識できる。その結果、ステップＳ７１３でインクタンク取り付けエラー画面が表示されたあとは、別機種対応インクタンク２２０ではなく、記録装置１００に対応した着脱可能なインクタンク１１１〜１１５を用いたインクタンクの取り付けを促すことができる。
【００６５】
本実施形態ではインクタンク取り付けエラー画面として画面１１０１を表示した（ステップＳ７０８，Ｓ７１３）あとのエラー解除手段について特に規定していない。例えばカバー１０４を開けて、記録装置１００に対応した着脱可能なインクタンク１１１〜１１５を記録ヘッド１０３に取り付け、カバー１０４を閉じることで、エラー状態を解除することが可能である。また、画面１１０１を表示した（ステップＳ７０８，Ｓ７１３）あとのエラー解除手段として、ユーザがカバー１０４を閉じ、画面１１０１を表示した後の表示部１０６において指示することで、エラーを解除できる。このようにエラー状態が解除されると、最終的にはインクタンク取り付け工程が終了し、Ｓ４０６の記録装置初期調整が行われる。
【００６６】
なお、インクタンク取り付け工程にて、「記録装置１００に対応した着脱可能なインクタンク１１１〜１１５」が未装着状態、または「別機種対応インクタンク２２０」が装着された状態で最初からエラーを表示しないのは、下記の理由のためである。
【００６７】
初期セットアップではインクタンクが取り付けられていない状態から始まるため記録ヘッドの装着部にインクタンクが装着されていない状態は正常で、そのことをエラーで表示することは記録装置１００の故障を連想させるため好ましくない。そのため、初期セットアップにおいては、インクタンクが装着されていない状態でエラー表示ではなくインクタンク取り付けの誘導画面を表示部１０６に表示している。
【００６８】
一方でインクタンクのインク色違いなど明らかにインクタンクの取り付けで間違いが発生しているときは速やかにその旨をユーザに報知することが望まれる。ステップＳ７０５でインクタンクのインク色違いなどを検出したときにすぐにステップＳ７０８でエラーを表示するのはそのためである。
【００６９】
しかし、このとき別機種対応インクタンク２２０が装着された状態とインクタンクが装着されていない状態とを記録装置１００は区別できない。そのため、記録装置１００はインクタンク取り付けの誘導画面を出し続けるべきか、インクタンク取り付けエラー画面を出すべきか判断できない。
【００７０】
そこで、すべてのインクタンクが取り付けられていない状態でユーザがカバーの開け閉めを３回行うと、記録装置１００は、ユーザによるインクタンクの誤装着の可能性があると判断して、自動的にインクタンク取り付けエラー画面を表示部１０６に表示する。
【００７１】
インクタンク取り付けエラー画面をみたユーザはエラーに対処するためにマニュアルなどを参照して、エラー画面の表示の原因が別機種対応インクタンク２２０の装着にあることを認識する可能性が生まれる。一方で、別機種対応インクタンク２２０を使っておらず、単にインクタンクの取り付け中にカバー１０４の開け閉めを行ったユーザに対するインクタンク取り付けエラー画面による報知は、カバークローズ回数が２回までは行わない。そのため、別機種対応インクタンク２２０を使わなかったユーザに対しインクタンク取り付けエラー画面による不要な報知を行わなくてすむ。
【００７２】
なお、本実施形態ではカバークローズ規定回数を３回と定義したが、この数は３回に限定されるものではない。カバークローズ規定回数が１回であれば、カバーの開け閉めを１回行った場合でも、インクタンクがすべて装着されていなければインクタンク取り付けエラー画面を表示する仕様となる。カバークローズ規定回数がいくつであっても本発明に適用可能である。
【００７３】
また、カバークローズ回数をカウントアップする工程（ステップＳ７１１）と、カバークローズ回数とカバークローズ規定回数とを比較する工程（ステップＳ７１２）の処理順は逆であってもかまわない。
【００７４】
なお、記録ヘッド１０３の装着部１２１〜１２５にインクタンクが装着されていないインクタンク未装着の状態でも、別機種対応インクタンク２２０を装着したときと同様、ステップＳ７１０〜Ｓ７１３の処理が行われる。
【００７５】
インクタンク取り付け中のカバークローズ回数が規定回数以上になるとインクタンク取り付けエラー画面を表示する制御を行う記録装置において、ユースケース１，２の場合のフローについて以下に説明する。インクタンク取り付け工程に関し、詳細に説明する。
【００７６】
＜ユースケース１：記録装置１００に対応したインクタンク１１１〜１１５を取り付ける場合＞
ステップＳ７０１にて、カバーオープンの誘導画面を表示部１０６に表示する。
【００７７】
ユーザがカバーオープンの誘導画面の指示にしたがって記録装置１００のカバー１０４を開けるとカバーセンサ１０５が反応して、カバー１０４が開いていることを検知する（ステップＳ７０２：ＹＥＳ）。カバー１０４が開けられるとＣＰＵ３０１は表示部１０６に表示される画面をカバーオープンの誘導画面からインクタンク取り付けの誘導画面に切り替える（ステップＳ７０３）。
【００７８】
インクタンク取り付けの誘導画面が表示されている間にユーザが記録装置１００に対応したインクタンク１１１〜１１５をすべて取り付けると、そのことが識別チップ読取センサ２１１〜２１５を通じて検出される。そのため、ステップＳ７０４ではすべてのインクタンク１１１〜１１５を取り付けたと判定する。すなわち、識別チップ読取センサ２１１〜２１５が識別チップ２０１〜２０５から識別情報を読み取ってインクタンク１１１〜１１５の存在を検知する。そして、識別チップ読取センサ２１１〜２１５により存在を検知したインクタンクの数に基づき、記録装置１００に対応したインクタンクを所定数装着したと判定する。
【００７９】
続けて、ステップＳ７０５で検出したインクタンクのインク色がすべて正しいかを判定する。
【００８０】
検出したインクタンクのインク色が正しくないと判定した場合（ステップＳ７０５：ＮＯ）は、ステップＳ７０８でインクタンク取り付けエラー画面を表示して、ユーザにインクタンクの取り付け位置が間違っていることを報知する。
【００８１】
検出したインクタンクのインク色がすべて正しいと判定すると（ステップＳ７０５：ＹＥＳ）、インクタンクの取り付けは完了したため、カバークローズの誘導画面を表示部１０６に表示する（ステップＳ７０６）。
【００８２】
ユーザがカバークローズの誘導画面の指示にしたがって記録装置１００のカバー１０４を閉じると、カバーセンサ１０５が反応して、カバー１０４が閉じていることを検知する（ステップＳ７０７：ＹＥＳ）。カバー１０４が閉じられると、表示部１０６はカバークローズの誘導画面の表示をやめてインクタンク取り付けが完了する。
【００８３】
＜ユースケース２：別の機種の記録装置に対応する別機種対応インクタンク２２０を１つ以上取り付ける場合＞
別機種対応インクタンク２２０は、図２を参照して説明したように記録ヘッド１０３の識別チップ読取センサ２１１〜２１５が読み取り可能な識別チップを備えていない。そのため記録装置１００は、「別機種対応インクタンク２２０」が記録ヘッド１０３に装着されている状態と記録ヘッド１０３に装着されていない状態とを区別することができない。したがって、ステップＳ７０１の指示に従いカバー１０４を開け（ステップＳ７０２：ＹＥＳ）、ステップＳ７０３の指示で１つでも別機種対応インクタンク２２０を取り付けると、すべてのインクタンクを取り付けたとは判定しない（ステップＳ７０４：ＮＯ）。すなわち、インクタンク２２０を取り付けていることから、識別チップ読取センサ２１１〜２１５が識別チップから識別情報を読み取って存在を検知したインクタンクの数に基づき、記録装置１００にインクタンクが所定数装着されていないと判定する。記録装置１００からみると装着されていないインクタンク２２０が存在するため、インクタンク取り付けの誘導画面を表示し続ける。このとき、「別機種対応インクタンク２２０」を記録ヘッド１０３に物理的に装着できる。そのため、ユーザは、インクタンクの装着を完了したと認識してカバー１０４を閉める場合がある。そのときはカバーセンサ１０５が反応して、カバー１０４が閉じられたことを検出し（ステップＳ７１０：ＹＥＳ）、インクタンク取り付け中にカバーを閉じた回数をカウントアップする（ステップＳ７１１）。
【００８４】
カバークローズ回数をカウントアップしたあと、カバークローズ回数がカバークローズ規定回数未満であるか否かを判定する（ステップＳ７１２）。
【００８５】
そのため、ステップＳ７１２で「別機種対応インクタンク２２０」を１つ以上装着したままカバーを閉じた回数が１回であれば、カバークローズ回数が３回未満であると判定し、「ＳＴＡＲＴ」に戻り、再びステップＳ７０１〜Ｓ７０３の処理が行われる。そして、ステップＳ７０４にてすべてのインクタンクを取り付けたか否かを判定する。「別機種対応インクタンク２２０」を装着している認識がユーザに無く、インクタンクの装着が完了しているという認識で再びカバー１０４が閉じられると、ステップＳ７１１およびステップＳ７１２の処理が再び行われる。
【００８６】
カバーを閉じるのが２回目までは、「ＳＴＡＲＴ」に戻り、ステップＳ７０１〜Ｓ７０４の処理を再び行うことになる。カバークローズ回数が３回になると、ステップＳ７１２で３回未満ではないと判断され、ステップＳ７１３に進み、ステップＳ７１３にてインクタンク取り付けエラー画面を表示部１０６に表示する。
【００８７】
以上が本実施形態の記録装置１００において別機種対応インクタンク２２０装着時の処理内容である。カバークローズ回数がカバークローズ規定回数（所定回数）以上になると、インクタンク取り付けエラー画面を表示部１０６に表示することから、ユーザに対し、対応するインクタンクの装着を促すことができる。すなわち、既存のカバーセンサ１０５、識別チップ２０１〜２０５、識別チップ読取センサ２１１〜２１５を用いることで、同形状だが別機種対応インクタンクの装着を検知して、インクタンクの取り付けエラー画面を表示部１０６に表示することができる。よって、別機種対応インクタンクが装着された場合でも、比較的簡易な構成で、別機種対応インクタンクが装着されたことをユーザに対して報知できる。
【００８８】
また、本実施形態は下記の種々の構成に適用することができる。例えば、報知手段として音を発する発音部を有する記録装置、報知手段として表示部１０６および発音部を有する記録装置に適用することも可能である。また、フルライン型の記録装置に適用することも可能である。また、インクタンクの交換作業に適用することも可能である。
【００８９】
さらに、記録材としてインクではなくトナーを適用し、記録材を収容する容器として、インクタンクではなくトナーカートリッジを適用することも可能である。
【００９０】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【符号の説明】
【００９１】
１００  記録装置
１０３  記録ヘッド
１０４  カバー
１０５  カバーセンサ
１０６  表示部
１１１〜１１５  インクタンク
２０１〜２０５  識別チップ
２１１〜２１５  識別チップ読取センサ
３０１  ＣＰＵ
３０２  ＲＯＭ
３０３  ＲＡＭ
３０４  記憶部
３０５  不揮発性メモリ
【図１】
2019034448.tif 000003
【図２】
2019034448.tif 000004
【図３】
2019034448.tif 000005
【図４】
2019034448.tif 000006
【図５】
2019034448.tif 000007
【図６】
2019034448.tif 000008
【図７】
2019034448.tif 000009
【図８】
2019034448.tif 000010
【図９】
2019034448.tif 000011
【図１０】
2019034448.tif 000012
【図１１】
2019034448.tif 000013